(57)【要約】  システムは、通信装置、外部スピーカ及び遠隔制御装置を含む。外部スピーカは、通信装置に接続し且つ通信装置から受信される音声信号を可聴音に変換する。遠隔制御装置は、マイクロホンを含み且つエアインタフェースを介して送信される制御信号によって外部スピーカの動作を制御する。遠隔制御装置は、マイクロホンから受信される音声信号をエアインタフェースを介して外部スピーカへ更に送出する。外部スピーカは、音声信号を通信装置へ更に送出する。
2009545907.tif 000002
【特許請求の範囲】
【請求項１】
オーディオスピーカの動作制御に関連するユーザ命令を受信する入力装置と、
音声入力を受信するマイクロホンと、
１つ以上の送信機であって、
エアインタフェースを介して前記ユーザ命令を前記オーディオスピーカへ送信し、且つ
受信された前記音声入力を移動通信装置へ送信するために、前記エアインタフェースを介して前記受信された音声入力を前記オーディオスピーカへ送信する送信機と
を備えることを特徴とする装置。
【請求項２】
前記入力装置から前記ユーザ命令を受信し、前記エアインタフェースを介して前記オーディオスピーカへ前記ユーザ命令の送信を開始するコントローラを更に備えることを特徴とする請求項１に記載の装置。
【請求項３】
前記コントローラは、前記音声入力を受信し、前記オーディオスピーカへ前記音声入力の送信を開始することを特徴とする請求項２に記載の装置。
【請求項４】
前記オーディオスピーカは、電気信号を可聴音に変換する変換器を備えることを特徴とする請求項１に記載の装置。
【請求項５】
前記１つ以上の送信機は赤外線送信機を含み、該赤外線送信機は前記ユーザ命令を前記オーディオスピーカへ送信することを特徴とする請求項１に記載の装置。
【請求項６】
前記１つ以上の送信機は無線周波数送信機を含み、該無線周波数送信機は前記受信された音声入力を前記オーディオスピーカへ送信することを特徴とする請求項１に記載の装置。
【請求項７】
前記移動通信装置は、無線電話装置を含むことを特徴とする請求項１に記載の装置。
【請求項８】
通信装置と、
前記通信装置に接続され且つ前記通信装置から受信される音声信号を可聴音に変換する外部スピーカと、
遠隔制御装置であって、マイクロホンを備え且つ
エアインタフェースを介して送信される制御信号によって前記外部スピーカの動作を制御し、且つ
前記マイクロホンから受信される音声信号を前記エアインタフェースを介して前記外部スピーカへ送出する遠隔制御装置と、を備え、
前記外部スピーカは、更に、前記音声信号を前記通信装置へ送出することを特徴とするシステム。
【請求項９】
前記遠隔制御装置は入力装置を備え、前記遠隔制御装置は前記入力装置を介して受信されるユーザ入力に基づいて前記外部スピーカの動作を制御することを特徴とする請求項８に記載のシステム。
【請求項１０】
前記遠隔制御装置は、前記エアインタフェースを介して赤外線信号又は無線周波数信号のうちの一方を用いて前記制御信号及び前記音声信号を前記外部スピーカへ送信することを特徴とする請求項８に記載のシステム。
【請求項１１】
前記通信装置は、無線電話を含むことを特徴とする請求項８に記載のシステム。
【請求項１２】
前記外部スピーカは、前記通信装置から離れて配置されることを特徴とする請求項８に記載のシステム。
【請求項１３】
前記遠隔制御装置は、前記通信装置及び前記外部スピーカから離れて配置されることを特徴とする請求項１２に記載のシステム。
【請求項１４】
オーディオ装置であって、
遠隔装置からエアインタフェースを介してスピーカ制御信号及び音声信号を受信する１つ以上の受信機と、
外部通信装置から受信される電気信号を可聴音に変換する音声出力回路及び少なくとも１つのスピーカと、
受信された前記制御信号に基づいて前記オーディオ装置の動作を調整し、且つ、前記音声信号を前記外部通信装置へ送出するコントローラと
を備えることを特徴とするオーディオ装置。
【請求項１５】
前記外部通信装置は、無線電話を含むことを特徴とする請求項１４に記載のオーディオ装置。
【請求項１６】
前記１つ以上の受信機は赤外線受信機を含み、該赤外線受信機は前記エアインタフェースを介して前記制御信号を受信することを特徴とする請求項１４に記載のオーディオ装置。
【請求項１７】
前記１つ以上の受信機は無線周波数受信機を含み、該無線周波数受信機は前記エアインタフェースを介して前記音声信号を受信することを特徴とする請求項１４に記載のオーディオ装置。
【請求項１８】
オーディオスピーカと、
入射音を音声信号に変換するための変換器と、エアインタフェースを介して前記音声信号を前記オーディオスピーカへ送信するための少なくとも１つの送信機と、を備える制御装置と、を備え、
前記オーディオスピーカは、
通信装置から受信される電気信号を可聴音に変換し、
前記エアインタフェースを介して前記制御装置から前記音声信号を受信し、且つ
前記音声信号を前記通信装置へ再送信することを特徴とするシステム。
【請求項１９】
前記制御装置は、
前記オーディオスピーカの動作を制御するために、ユーザからの入力を受信する入力装置を更に備え、
前記少なくとも１つの送信機は、前記ユーザ入力に基づいて前記エアインタフェースを介して前記オーディオスピーカへ制御信号を更に送信することを特徴とする請求項１８に記載のシステム。
【請求項２０】
前記オーディオスピーカは、更に、
前記通信装置から音声電気信号を受信し、且つ
前記音声電気信号を可聴音に変換することを特徴とする請求項１８に記載のシステム。
【請求項２１】
外部オーディオスピーカの動作制御に関連するユーザ命令を受信する手段と、
エアインタフェースを介して前記ユーザ命令を前記外部オーディオスピーカへ送信する手段と、
音声入力を受信する手段と、
受信された前記音声入力を移動通信装置へ送信するために、前記エアインタフェースを介して前記受信された音声入力を前記外部オーディオスピーカへ送信する手段と
を備えることを特徴とする装置。
【発明の詳細な説明】
【技術分野】
【０００１】
本明細書に記載の実施例は、一般に移動通信装置に関し、特に、移動通信装置と関連して使用される外部スピーカに関する。
【背景技術】
【０００２】
近年、デジタル音楽ファイル及び／又はデジタルビデオファイルを再生するメディアプレーヤが、民生の電子製品を購入する一般大衆の間に急速に広まってきている。メディアプレーヤの場合、広く商業的に有効であることが、その普及を後押ししている。ＭＰＥＧレイヤ３（ＭＰ３）プレーヤは、オーディオデジタルファイル（例えばＭＰ３ファイル）を再生するメディアプレーヤの一例である。スタンドアロンデジタルメディアプレーヤが市場で成功を収めたことに伴って、移動電話メーカは、固有のメディアプレーヤ機能を自社の移動電話に導入するようになっている。そのような移動電話では、ＭＰ３デジタルオーディオファイルなどのデジタルメディアファイルをダウンロードし、格納することができる。オーディオファイルは、外部メディアプレーヤを使用しなくても、移動電話自体で再生することが可能である。
【発明の概要】
【発明が解決しようとする課題】
【０００３】
メディアプレーヤ機能を有する移動電話においてより大きな音量で高音質の音を得るために、移動電話から音声を受信し且つ増幅することが可能な外部スピーカシステムが導入されている。当該外部スピーカシステムは、移動電話の既存の「ハンズフリー」コネクタプラグに差し込まれる。「ハンズフリー」コネクタプラグには、通常、移動電話のユーザがハンズフリーで使用するための、イヤホン及びマイクロホンを含むヘッドセットが接続される。
【課題を解決するための手段】
【０００４】
１つの面によれば、装置は、オーディオスピーカの動作制御に関連するユーザ命令を受信する入力装置と、音声入力を受信するマイクロホンとを備える。当該装置は、エアインタフェースを介してユーザ命令をオーディオスピーカへ送信したり、受信された音声入力を移動通信装置へ送信するためのエアインタフェースを介して、該音声入力をオーディオスピーカへ送信する１つ以上の送信機を更に備える。
更に、当該装置は、入力装置からユーザ命令を受信し、エアインタフェースを介してオーディオスピーカへユーザ命令の送信を開始するコントローラを備える。
更に、当該コントローラは、音声入力を受信し、オーディオスピーカへ音声入力の送信を開始する。
更に、当該オーディオスピーカは、電気信号を可聴音に変換する変換器を備える。
更に、１つ以上の送信機には、ユーザ命令をオーディオスピーカへ送信する赤外線送信機が含まれる。
更に、１つ以上の送信機には、受信された音声入力をオーディオスピーカへ送信する無線周波数送信機が含まれる。
更に、移動通信装置には、無線電話装置が含まれる。
別の面によれば、システムは、通信装置と、通信装置に接続され且つ通信装置から受信される音声信号を可聴音に変換するよう構成された外部スピーカとを備える。当該システムは、マイクロホンを含む遠隔制御装置を更に備える。遠隔制御装置は、エアインタフェースを介して送信される制御信号によって外部スピーカの動作を制御したり、マイクロホンから受信される音声信号をエアインタフェースを介して外部スピーカへ送出するよう構成され、更に、外部スピーカは、音声信号を通信装置へ送出する。
更に、遠隔制御装置は、入力装置を備え、該入力装置を介して受信されるユーザ入力に基づいて外部スピーカの動作を制御する。
更に、遠隔制御装置は、赤外線信号又は無線周波数信号のうちの一方を用いてエアインタフェースを介して制御信号及び音声信号を外部スピーカへ送信する。
更に、通信装置には、無線電話が含まれる。
更に、外部スピーカは、通信装置から離れて配置されていてもよい。
更に、遠隔制御装置は、通信装置及び外部スピーカから離れて配置されていてもよい。
更なる面によれば、オーディオ装置は、遠隔装置からエアインタフェースを介してスピーカ制御信号及び音声信号を受信する１つ以上の受信機を備える。オーディオ装置は、外部通信装置から受信される電気信号を可聴音に変換する音声出力回路及び少なくとも１つのスピーカを更に備える。オーディオ装置は、受信された制御信号に基づいてオーディオ装置の動作を調整し且つ音声信号を外部通信装置へ送出するコントローラを更に備える。
更に、通信装置には、無線電話が含まれる。
更に、１つ以上の受信機には、エアインタフェースを介して制御信号を受信する赤外線受信機が含まれる。
更に、１つ以上の受信機には、エアインタフェースを介して音声信号を受信する無線周波数受信機が含まれる。
更に別の面によれば、システムは、オーディオスピーカと、入射音を音声信号に変換するための変換器及びエアインタフェースを介して音声信号をオーディオスピーカへ送信するための少なくとも１つの送信機を含む制御装置とを備える。当該オーディオスピーカは、通信装置から受信される電気信号を可聴音に変換し、制御装置からエアインタフェースを介して音声信号を受信したり、音声信号を通信装置へ再送信するよう構成される。
更に、制御装置は、オーディオスピーカの動作を制御するためにユーザからの入力を受信する入力装置を更に備え、少なくとも１つの送信機は、更に、ユーザ入力に基づいて、エアインタフェースを介して制御信号をオーディオスピーカへ送信する。
更に、オーディオスピーカは、通信装置からの音声電気信号を受信し且つ音声電気信号を可聴音に変換する。
更なる面によれば、装置は、外部オーディオスピーカの動作制御に関連するユーザ命令を受信する手段と、エアインタフェースを介してユーザ命令を外部オーディオスピーカへ送信する手段とを備える。当該装置は、音声入力を受信する手段と、受信された音声入力を移動通信装置へ送信するために、エアインタフェースを介して音声入力をオーディオスピーカへ送信する手段とを更に備える。
【０００５】
本明細書中で使用される場合の用語「備える」は、記載される特徴、数字、ステップ、構成要素又はそれらの集合の存在を指定するものとして解釈されるべきであり、１つ以上の他の特徴、数字、ステップ、構成要素又はそれらの集合の存在又は追加を除外するものではないことはいうまでもない。
【図面の簡単な説明】
【０００６】
【図１】図１は、本発明の面が実施されるシステムの一例を示す図である。
【図２】図２は、セルラネットワークを含むシステムの一例を示す図である。
【図３】図３は、移動局の一例を示す図である。
【図４】図４は、一実施形態に係る図１の移動局と組み合わせた外部スピーカ及びスピーカリモートコントローラの使用例を示す図である。
【図５】図５は、図４のスピーカリモートコントローラの構成例を示す図である。
【図６】図６は、図４の外部スピーカの構成例を示す図である。
【図７】図７は、スピーカリモートコントローラ、外部スピーカ及び図４の移動局の相互動作の一例を示す図である。
【発明を実施するための形態】
【０００７】
本発明の以下の詳細な説明は、添付の図面を参照しながら行う。異なる図面における同一の図中符号は、同一又は同様の要素を示すものとする。また、以下の詳細な説明は、本発明を限定するものではない。
【０００８】
内蔵デジタルオーディオプレーヤを有する移動電話と共に使用可能な外部オーディオスピーカは、外部オーディオスピーカの内部に（又はスピーカを支持するスタンドの中に）マイクロホンを収納することにより、ハンズフリー通話を支援する。そのような外部スピーカは、ユーザが外部スピーカの動作（例えば音量増減、音質変更、スピーカバランスなど）を制御できるようにするための遠隔制御装置を更に備える。外部スピーカの内部にマイクロホンが配置されていることにより、ユーザは、外部スピーカに近接して発話することで、移動電話を介して通話に参加することができる。しかし、外部オーディオスピーカの性能及び出力パワーが向上するにつれて、外部スピーカから離れた場所で聴取することを望むユーザは、スピーカから離れた場所で通話に参加することも望むであろう。しかし、マイクロホンが配された外部スピーカからの距離が長くなるについて、マイクロホンがユーザの音声を受信することは困難となる。このため、外部スピーカから離れた場所でユーザが音楽を聴取できるようにすべく、外部スピーカの動作を遠隔制御するリモートコントローラにはマイクロホンが一体に組み込まれている。これにより、ユーザは移動電話又は外部スピーカのいずれか一方から離れている場合であっても、移動電話を介してのハンズフリー通話をすることが可能となる。リモートコントローラにマイクロホンを一体に組み込むことにより、リモートコントローラは、ユーザから受信される音声入力及びスピーカ制御入力を外部スピーカに供給することができる。スピーカ制御入力は、スピーカの動作を制御する。また、音声入力は、第三者との音声通信を実行するために外部スピーカを介して移動電話に供給される。
【０００９】
＜例示的なシステム＞
図１は、本発明の面が実施されるシステム１００の一例を示す図である。システム１００は、無線接続リンク、有線接続リンク又は光接続リンクを使用するネットワーク１３０を介して別の移動局１１０と接続された移動局１０５を備える。移動局１０５は、ネットワーク１３０を介してサーバ１２０と更に接続することも可能である。ネットワーク１３０には、ローカルエリアネットワーク（ＬＡＮ）、ワイドエリアネットワーク（ＷＡＮ）、衛星ネットワーク、メトロポリタンエリアネットワーク（ＭＡＮ）、公衆交換電話網（ＰＳＴＮ）又は公衆移動通信網（ＰＬＭＮ）などの電話網、イントラネット、インターネット又はネットワークの組み合わせを含む任意の種類の１つ以上のサブネットワークが含まれる。ＰＬＭＮには、例えば汎用パケット無線サービス（ＧＰＲＳ）、セルラデジタルパケットデータ（ＣＤＰＤ）又はモバイルＩＰサブネットワークなどのパケット交換サブネットワークが更に含まれる。
【００１０】
移動局１０５及び移動局１１０には、電話、セルラ無線電話、パーソナル移動通信システム（ＰＣＳ）端末などがそれぞれ含まれる。ＰＣＳ端末は、セルラ無線電話をデータ処理機能、ファクシミリ機能及びデータ通信機能と組み合わせてもよい。移動局１０５及び移動局１１０には、パーソナルデジタルアシスタント（ＰＤＡ）、従来のラップトップ受信機及び／又はパームトップ受信機、あるいは無線電話トランシーバを含む別の機器などがそれぞれ更に含まれる。ＰＤＡには、無線電話、ページャ、インターネット／イントラネットアクセス、ウェブブラウザ、オーガナイザ、カレンダー及び／又は全地球測位システム（ＧＰＳ）受信機が含まれる。なお、移動局１０５及び１１０は、それぞれ「パーベイシブコンピューティング」デバイスと称される場合もある。
【００１１】
サーバ１２０は、例えばデジタルオーディオファイル（例えばＭＰ３ファイル）などのメディアファイルを格納するサーバエンティティを備える。それらのメディアファイルは、ネットワーク１３０を介して移動局１０５及び１１０によりアクセスされ且つダウンロードされる。移動局１０５及び１１０は、ネットワーク１３０を介して互いにメディアファイルを交換することができる。
【００１２】
図２は、セルラネットワークを使用して実現されたシステム１００の一例を示す図である。図２に示すように、システム１００は、移動局１０５、移動局１１０及びセルラネットワーク１３０を備える。セルラネットワーク１３０は、１つ以上の基地局コントローラ（ＢＳＣ）２０５ａ〜２０５ｂ、複数の基地局（ＢＳ）２１０ａ〜２１０ｆ、複数の基地局アンテナアレイ２１５ａ〜２１５ｆ、ＭＳＣ２２０などの１つ以上の移動交換センタ（ＭＳＣ）及びＧＷ２２５などの１つ以上のゲートウェイ（ＧＷ）を備える。
【００１３】
セルラネットワーク１３０は、移動局１０５及び１１０との間でデータを送受信するために、従来より使用されている構成要素を備える。そのような構成要素には、基地局アンテナアレイ２１５ａ〜２１５ｆが含まれる。基地局アンテナアレイ２１５ａ〜２１５ｆは、適切なデータチャネルを介してアンテナアレイの近傍の移動局へデータを送信し且つ移動局からデータを受信する。基地局２１０ａ〜２１０ｆは、それぞれ対応するアンテナアレイ２１５ａ〜２１５ｆに接続し、ＢＳＣ２０５ａ〜２０５ｂ又は移動局１０５などの移動局と通信するために、従来の技術に従って、アンテナアレイ２１５ａ〜２１５ｆへ送信されるデータ又はアンテナアレイ２１５ａ〜２１５ｆから受信されるデータをフォーマットする。他の機能の１つとして、ＢＳＣ２０５ａ〜２０５ｂは、受信されたデータをＭＳＣ２２０又は基地局（例えばＢＳ２１０ａ〜２１０ｃ又は２１０ｄ〜２１０ｆ）のいずれかへルーティングする。ＭＳＣ２２０は、受信されたデータをＢＳＣ２０５ａ又は２０５ｂへルーティングする。ＧＷ２２５は、外部ドメイン（図示せず）から（例えば外部ドメインにあるサーバ１２０から）受信したデータを適切なＭＳＣ（ＭＳＣ２２０など）へルーティングするか、又はＭＳＣから適切な外部ドメインへ（例えば外部ドメインにあるサーバ１２０へ）ルーティングする。サーバ１２０（図２には図示せず）は、ＭＳＣ２２０を介して又はＧＷ２２５に接続された別のネットワーク（例えばインターネット）を介してセルラネットワーク１３０に接続される。
【００１４】
＜例示的な移動局＞
図３は、本発明の１つの面に従った移動局１０５の一例を示す図である。移動局１１０も、同様に構成される。移動局１０５は、トランシーバ３０５、アンテナ３１０、オプションのイコライザ３１５、オプションの符号器／復号器３２０、処理装置３２５、メモリ３３０、出力装置３３５、入力装置３４０及びバス３４５を備える。
【００１５】
トランシーバ３０５は、ネットワーク１３０などのネットワークにおいてアンテナ３１０を介して記号シーケンスを送信及び／又は受信するために、当業者には周知であるトランシーバ回路を備えている。トランシーバ３０５は、例えば従来のＲＡＫＥ受信機を備える。トランシーバ３０５は、受信される記号シーケンスの信号対妨害比（ＳＩＲ）を評価するメカニズムを更に備える。トランシーバ３０５は、伝播チャネルのドップラー周波数を評価するメカニズムを更に備える。イコライザ３１５は、例えば最大尤度シーケンス評価技術を使用して、受信した記号シーケンスを評価するビテルビ格子を格納したり実行したりする。イコライザ３１５は、チャネル評価を実行するメカニズムを更に備える。
【００１６】
符号器／復号器３２０は、受信された記号シーケンス又は送信された記号シーケンスを復号化及び／又は符号化する回路を備える。処理装置３２５は、通話処理制御、ユーザインタフェース制御などのデータバッファ機能及び端末制御機能を含むデータの入力、出力及び処理のためのあらゆるデータ処理機能を実行する。メモリ３３０には、処理機能を実行する場合に処理装置３２５により使用されるデータ及び命令の永久作業記憶装置、半永久作業記憶装置又は一時作業記憶装置を構成する。メモリ３３０は、磁気記録媒体及び／又は光記録媒体及びそれに対応するドライブなどの大容量記憶装置が含まれる。
【００１７】
出力装置３３５は、ビデオフォーマット、オーディオフォーマット及び／又はハードコピーフォーマットでデータを出力するメカニズムを備える。入力装置３４０は、移動端末１０５へのデータの入力を可能にするものであり、ユーザインタフェース及びマイクロホン（図示せず）を備える。マイクロホンは、聴覚入力を電気信号に変換するメカニズムを備える。移動端末１０５の種々の構成要素が互いに通信できるよう、バス３４５は、それらの構成要素を相互に接続する。図３に示す移動端末１０５の構成要素の構成は、単なる例示にすぎない。他の構成により実現されてもよいことは、当業者には理解されよう。
【００１８】
＜マイクロホンを有する例示的なスピーカリモートコントローラ＞
図４は、一実施形態に係る移動局１０５／１１０と関連する外部スピーカ及びスピーカリモートコントローラの使用例を示したものである。図示されるように、移動局１０５は、オーディオプレーヤ４０５を備える。移動局に設けられたハンズフリー接続部（例えば、移動局１０５へのハンズフリーヘッドセット又は外部スピーカの接続を可能にする入出力プラグ）を介して、オーディオプレーヤ４０５は、信号４１０を外部スピーカ４１５に供給する。オーディオプレーヤ４０５は、例えばＭＰ３オーディオファイルなどのデジタル媒体を再生し、且つオーディオプレーヤ信号４１０を外部スピーカ４１５に供給する。オーディオプレーヤ信号４１０は、可聴音に変換される。ネットワーク１３０（図示せず）を介して移動局１１０との通話に携わっている場合、移動局１０５は、移動局１１０から受信される入力音声信号４２０を外部スピーカ４１５に更に供給する。いくつかの実施例においては、移動局１１０から入力音声信号４２０が受信された場合、移動局１０５は、オーディオプレーヤ４０５において再生中のオーディオファイルを差し替え、入力音声信号４２０のみを外部スピーカ４１５に供給する（例えば、移動局１０５と移動局１１０との通話が完了するまで、オーディオファイルは「保留」状態にされる）。外部スピーカ４１５は、スピーカ制御信号４３５及び出力音声信号４４５（以下に説明）を受信する受信機４２５を備える。
【００１９】
更に図４に示すように、スピーカリモートコントローラ４３０は、スピーカ制御信号４３５によって外部スピーカ４１５の動作を制御する。スピーカ制御信号４３５は、スピーカリモートコントローラ４３０においてユーザ入力（図示せず）を介して受信されるユーザ命令（例えば音量増減、高音部増減、低音部増減など）により生成される。スピーカリモートコントローラ４３０は、マイクロホン４４０を更に備える。マイクロホン４４０は、入射音を電気信号に変換する変換器を備える。マイクロホン４４０は、スピーカリモートコントローラ４３０を使用するユーザからの音声入力を出力音声信号４４５に変換する。スピーカリモートコントローラ４３０は、エアインタフェースを介して出力音声信号４４５を外部スピーカ４１５の受信機４２５へ送信する。外部スピーカ４１５は、出力音声信号４４５を移動局１０５に供給し、その後、移動局１０５は、ネットワーク１３０（図示せず）を介して出力音声信号を移動局１１０へ送信する。
【００２０】
図５は、一実施形態に係るスピーカリモートコントローラ４３０の構成例を示す図である。スピーカリモートコントローラ４３０は、マイクロホン４４０、スピーカ制御入力装置５００、コントローラ５１０及び送信機５２０を備える。マイクロホン４４０は、入射音（例えば音声）を電気信号に変換する変換器を備える。電気信号は、送信機５２０により出力音声信号４４５として送信される。一実施形態において、送信機５２０には、無線周波数送信機が含まれる。無線周波数送信機は、出力音声信号４４５を無線周波数信号としてエアインタフェースを介して外部スピーカ４１５へ送信する。スピーカ制御入力装置５００は、外部スピーカ４１５の動作を制御するための入力をユーザが提供できるようにするために任意の種類のユーザインタフェースを備える。コントローラ５１０は、スピーカリモートコントローラ４３０の動作を制御するよう構成された任意の種類の処理装置（例えばマイクロプロセッサ）又は処理論理を備える。コントローラ５１０は、スピーカ制御入力装置５００からユーザ入力を受信し且つ対応するスピーカ制御信号４３５を送信するように送信機５２０に命令する。一実施形態において、送信機５２０には、赤外線送信機が含まれる。赤外線送信機は、スピーカ制御信号４３５を赤外線信号としてエアインタフェースを介して外部スピーカ４１５へ送信する。コントローラ５１０は、マイクロホン４４０からの音声信号を更に受信し且つ音声信号を出力音声信号４４５として外部スピーカ４１５へ送信するように送信機５２０に命令する。
【００２１】
＜例示的な外部スピーカ＞
図６は、一実施形態に係る外部スピーカ４１５の構成例を示す図である。外部スピーカ４１５は、受信機４２５、コントローラ６００、並びに出力回路及びスピーカ６１０を備える。受信機４２５は、スピーカリモートコントローラ４３０からエアインタフェースを介して出力音声信号４４５及びスピーカ制御信号４３５を受信する。一実施形態において、受信機４２０には、エアインタフェースを介して出力音声信号４４５を無線周波数信号として受信する無線周波数受信機が含まれる。別の実施形態において、受信機４２５には、エアインタフェースを介してスピーカ制御信号４３５を赤外線信号として受信する赤外線受信機が含まれる。受信されたスピーカ制御信号４３５に基づいて、コントローラ６００は、外部スピーカ４１５の動作（例えば音量増減、高音部増減、低音部増減など）を制御する。コントローラ６００は、外部スピーカ４１５と移動局１０５との間のハンズフリー接続部を介して、受信された出力音声信号４４５を移動局１０５へ更に送出する。音声出力回路及びスピーカ６１０は、ハンズフリー接続部を介して移動局１０５から受信されたオーディオプレーヤ信号４１０を受信されたスピーカ制御信号４３５に基づいて可聴音に変換する。
【００２２】
＜例示的なシステムの相互動作＞
図７は、一実施形態に係るスピーカリモートコントローラ４３０、外部スピーカ４１５及び移動局１０５の相互動作例を示したものである。図７に示すように、移動局１０５には、オーディオプレーヤ信号４１０を発生するためにオーディオプレーヤとして動作するセルラ無線電話が含まれる。オーディオプレーヤ信号４１０は、無線電話１０５と外部スピーカ４１５との間のハンズフリー接続部を介して送出される。外部スピーカ４１５は、オーディオプレーヤ信号４１０をユーザにより聴取可能な可聴音７００に変換する。ユーザは、スピーカリモートコントローラ４３０を使用して、スピーカ制御信号４３５によって外部スピーカ４１５の動作を制御する。セルラ無線電話１０５において再生されている音声を聴取する間に、ネットワーク１３０（図示せず）を介して無線電話１０５により通話が受信される。無線電話１０５は、通話に対する第三者からの入力音声信号４２０を受信し且つハンズフリー接続部を介してその通話の入力音声信号４２０を外部スピーカ４１５へ送出する。外部スピーカ４１５は、入力音声信号４２０をユーザにより聴取可能な可聴音７００に変換する。ユーザは、入力音声信号４２０と関連する可聴音７００を聴取し、赤外線信号又は無線周波数信号によってエアインタフェースを介して出力音声信号４４５を外部スピーカ４１５に供給するためにスピーカリモートコントローラ４３０のマイクロホン（図示せず）に対して発話する。外部スピーカ４４５は、ハンズフリー接続部を介して出力音声信号４４５を無線電話１０５へ送出し、その後、出力音声信号４４５は、ネットワーク１３０（図示せず）を介して移動局１１０の第三者へ送信される。
【００２３】
＜結論＞
以上の実施形態の説明は、例示とその説明にすぎず、余すところなく述べることを意図したものでも、開示された詳細な形態に本発明を限定することを意図したものでもない。以上の教示に照らして変更及び変形が可能であり、また、本発明の実施から変更及び変形例を得ることができる。実施形態は、外部のスピーカリモートコントローラにマイクロホンを配置するものとして説明したが、他の実施形態において、本明細書中で説明されたマイクロホンの代わりに、ポータブルＢｌｕｅｔｏｏｔｈハンズフリー装置（例えばヘッドセット）が使用されてもよい。そのような実施形態において、Ｂｌｕｅｔｏｏｔｈヘッドセットは、出力音声及びスピーカのリモートコントロールのために使用されてもよく、外部スピーカは、入力音声のために使用されてもよい。本明細書中、実施形態として、マイクロホンがスピーカリモートコントローラの内部に配置される構成について説明した。しかし、他の実施形態において、マイクロホンは、例えばカラオケ装置、音声制御装置などの他の種類の装置に配置することも可能であろう。
【００２４】
ＴＤＭＡ、ＣＤＭＡ又はＦＤＭＡなどの任意の種類のマルチアクセス方式を利用する任意の有線システム又は無線システムに、本明細書中で説明した実施形態が適用されてもよいことは当業者には理解されよう。更に、上記のマルチアクセス方式のうち２つ以上の方式の組み合わせであるハイブリッドシステムにおいて本明細書中で説明した実施形態が利用されてもよいことを理解されよう。また、本明細書で説明した実施形態に係る通信装置は、例えばＧＳＭに基づく任意の規格、ＴＤＭＡ、ＣＤＭＡ、ＦＤＭＡ、それらの規格の混成又は他の規格を使用する基地局トランシーバと通信するように設計されてもよい。
【００２５】
本発明の面は、方法及び／又はコンピュータプログラム製品において更に実現されてもよい。従って、本発明は、ハードウェア及び／又はソフトウェア（ファームウェア、常駐ソフトウェア、マイクロコードなどを含む）において実現されてもよい。更に、本発明は、命令実行システムにより又は命令実行システムと関連して使用できるよう、コンピュータ使用可能媒体又はコンピュータ可読媒体において実現されるコンピュータ使用可能プログラムコード又はコンピュータ可読プログラムコードを有するそのような媒体におけるコンピュータプログラム製品の形態をとってもよい。本発明の原理と一致する面を実現するために使用される実際のソフトウェアコード又は特殊化制御ハードウェアは、本発明を限定するものではない。従って、それらの面の動作及び作用は、特定のソフトウェアコードを参照せずに説明した。本明細書の説明に基づいてそれらの面を実現するために、当業者がソフトウェアを設計し且つハードウェアを制御することが可能であろうことは理解されよう。
【００２６】
更に、本発明のある特定の部分は、１つ以上の機能を実行する「論理」として実現されてもよい。この論理は、特定用途向け集積回路（ＡＳＩＣ）又はフィールドプログラマブルゲートアレイ（ＦＰＧＡ）などのハードウェア、ソフトウェア又はハードウェアとソフトウェアとの組み合わせを含んでいてもよい。
【００２７】
本出願において使用される要素、動作又は命令は、明示して指示のない限り、いずれも本発明に重要又は不可欠であるものと解釈されるべきではない。また、本明細書中で使用される場合の単数形は複数の項目を含むことを意図したものである。ただ１つの項目が意図される場合、「１つの」又はそれに類似する言葉が使用される。更に、「基づいて」という語句は、明示して指示のない限り、「少なくとも部分的に基づいて」を意味することを意図している。
【図１】
2009545907.tif 000003
【図２】
2009545907.tif 000004
【図３】
2009545907.tif 000005
【図４】
2009545907.tif 000006
【図５】
2009545907.tif 000007
【図６】
2009545907.tif 000008
【図７】
2009545907.tif 000009
【手続補正書】
【提出日】平成20年5月23日(2008.5.23)
【手続補正１】
【補正対象書類名】特許請求の範囲
【補正対象項目名】全文
【補正方法】変更
【補正の内容】
【特許請求の範囲】
【請求項１】
接続を確立するための入出力コネクタプラグを有する無線電話と、
前記入出力コネクタプラグを介して前記無線電話に接続され且つ前記接続を介して前記無線電話から受信される音声信号を可聴音に変換する外部スピーカと、
遠隔制御装置であって、マイクロホンを備え、且つ
エアインタフェースを介して送信される制御信号によって前記外部スピーカの動作を制御し、且つ
前記マイクロホンから受信される音声信号を前記エアインタフェースを介して前記外部スピーカへ送出する遠隔制御装置と、を備え、
前記外部スピーカは、更に、前記音声信号を前記入出力コネクタプラグによる接続を介して前記無線電話へ送出することを特徴とするシステム。
【請求項２】
前記遠隔制御装置は入力装置を含み、前記遠隔制御装置は前記入力装置を介して受信されるユーザ入力に基づいて前記外部スピーカの動作を制御することを特徴とする請求項１に記載のシステム。
【請求項３】
前記遠隔制御装置は、前記エアインタフェースを介して赤外線信号又は無線周波数信号のうちの一方を用いて前記制御信号及び前記音声信号を前記外部スピーカへ送信することを特徴とする請求項１に記載のシステム。
【請求項４】
前記外部スピーカは、前記無線電話から離れて配置されることを特徴とする請求項１に記載のシステム。
【請求項５】
前記遠隔制御装置は、前記無線電話及び前記外部スピーカから離れて配置されることを特徴とする請求項４に記載のシステム。
【請求項６】
オーディオ装置であって、
遠隔制御装置からエアインタフェースを介してスピーカ制御信号及び音声信号を受信する１つ以上の受信機と、
外部無線電話に配された入出力コネクタプラグとの接続を介して、該外部無線電話から受信される電気信号を可聴音に変換する音声出力回路及び少なくとも１つのスピーカと、
受信された前記制御信号に基づいて前記オーディオ装置の動作を調整し、且つ、前記音声信号を前記入出力コネクタプラグとの接続を介して前記外部無線電話へ送出するコントローラと
を備えることを特徴とするオーディオ装置。
【請求項７】
前記１つ以上の受信機は赤外線受信機を含み、該赤外線受信機は前記エアインタフェースを介して前記制御信号を受信することを特徴とする請求項６に記載のオーディオ装置。
【請求項８】
前記１つ以上の受信機は無線周波数受信機を含み、該無線周波数受信機は前記エアインタフェースを介して前記音声信号を受信することを特徴とする請求項６に記載のオーディオ装置。
【請求項９】
オーディオスピーカと、
入射音を音声信号に変換するための変換器と、エアインタフェースを介して前記音声信号を前記オーディオスピーカへ送信するための少なくとも１つの送信機と、を備える制御装置と、を備え、
前記オーディオスピーカは、
無線電話に配された入出力コネクタプラグとの接続を介して、該無線電話から受信される電気信号を可聴音に変換し、
前記エアインタフェースを介して前記制御装置から前記音声信号を受信し、且つ
前記入出力コネクタプラグとの接続を介して前記音声信号を前記無線電話へ再送信することを特徴とするシステム。
【請求項１０】
前記制御装置は、
前記オーディオスピーカの動作を制御するために、ユーザからの入力を受信する入力装置を更に備え、
前記少なくとも１つの送信機は、前記ユーザ入力に基づいて前記エアインタフェースを介して前記オーディオスピーカへ制御信号を更に送信することを特徴とする請求項９に記載のシステム。
【請求項１１】
前記オーディオスピーカは、更に、
前記無線電話から音声電気信号を受信し、且つ
前記音声電気信号を可聴音に変換することを特徴とする請求項９に記載のシステム。
【手続補正書】
【提出日】平成21年4月3日(2009.4.3)
【手続補正１】
【補正対象書類名】明細書
【補正対象項目名】０００４
【補正方法】変更
【補正の内容】
【０００４】
１つの面によれば、システムは、接続を確立するための入出力コネクタプラグを有する無線電話と、前記入出力コネクタプラグを介して前記無線電話に接続され且つ前記接続を介して前記無線電話から受信される音声信号を可聴音に変換する外部スピーカとを備える。当該システムは、更に、遠隔制御装置であって、マイクロホンを備え、且つエアインタフェースを介して送信される制御信号によって前記外部スピーカの動作を制御し、且つ前記マイクロホンから受信される音声信号を前記エアインタフェースを介して前記外部スピーカへ送出する遠隔制御装置を備え、前記外部スピーカは、更に、前記音声信号を前記入出力コネクタプラグによる接続を介して前記無線電話へ送出する。
更に、前記遠隔制御装置は入力装置を含み、前記遠隔制御装置は前記入力装置を介して受信されるユーザ入力に基づいて前記外部スピーカの動作を制御する。
更に、前記遠隔制御装置は、前記エアインタフェースを介して赤外線信号又は無線周波数信号のうちの一方を用いて前記制御信号及び前記音声信号を前記外部スピーカへ送信する。
更に、前記外部スピーカは、前記無線電話から離れて配置される。
更に、前記遠隔制御装置は、前記無線電話及び前記外部スピーカから離れて配置される。
別の面によれば、オーディオ装置は、遠隔制御装置からエアインタフェースを介してスピーカ制御信号及び音声信号を受信する１つ以上の受信機と、外部無線電話に配された入出力コネクタプラグとの接続を介して、該外部無線電話から受信される電気信号を、可聴音に変換する音声出力回路及び少なくとも１つのスピーカとを備える。当該オーディオ装置は、更に、受信された前記制御信号に基づいてオーディオ装置の動作を調整し、且つ、前記音声信号を前記入出力コネクタプラグとの接続を介して前記外部無線電話へ送出するコントローラとを備える。
更に、前記１つ以上の受信機は赤外線受信機を含み、該赤外線受信機は前記エアインタフェースを介して前記制御信号を受信する。
更に、前記１つ以上の受信機は無線周波数受信機を含み、該無線周波数受信機は前記エアインタフェースを介して前記音声信号を受信する。
別の面によれば、システムは、オーディオスピーカと、制御装置とを備え、該制御装置は、入射音を音声信号に変換するための変換器と、エアインタフェースを介して前記音声信号を前記オーディオスピーカへ送信するための少なくとも１つの送信機とを備える。当該オーディオスピーカは、無線電話に配された入出力コネクタプラグとの接続を介して、該無線電話から受信される電気信号を可聴音に変換し、前記エアインタフェースを介して前記制御装置から前記音声信号を受信し、且つ前記入出力コネクタプラグとの接続を介して前記音声信号を前記無線電話へ再送信する。
更に、前記制御装置は、前記オーディオスピーカの動作を制御するために、ユーザからの入力を受信する入力装置を更に備え、前記少なくとも１つの送信機は、前記ユーザ入力に基づいて前記エアインタフェースを介して前記オーディオスピーカへ制御信号を更に送信する。
更に、前記オーディオスピーカは、更に、前記無線電話から音声電気信号を受信し、且つ前記音声電気信号を可聴音に変換する。
【国際調査報告】
2009545907.tif 000010
2009545907.tif 000011
2009545907.tif 000012